(57)【要約】本発明は、清潔な環境の維持と衛生の向上のためのキャンプ装備品に関する。キャンプ装備品は、取り外し可能に取り付けられたバッグ部品（１０２）を有するパッケージ部品（１００）を備え、狭い空間へ入れるためにパッケージ部品によって折り畳み状態で包装可能である。
2011505885.tif 000002
【特許請求の範囲】
【請求項１】
清潔な環境の維持と衛生の向上のためのキャンプ装備品であって、取り外し可能に取り付けられたバッグ部品（１０２）を有するパッケージ部品（１００）を備え、狭い空間へ入れるために前記パッケージ部品によって折り畳み状態で包装可能であることを特徴とする、キャンプ装備品。
【請求項２】
前記バッグ部品（１０２）として、環境配慮性があり、生態学的に分解可能な材料からなる生ゴミバッグを備えることを特徴とする、請求項１に記載のキャンプ装備品。
【請求項３】
前記パッケージ部品（１００）は環境配慮性があり、生態学的に分解可能な材料からなることを特徴とする、請求項１に記載のキャンプ装備品。
【請求項４】
前記パッケージ部品（１００）は紙状材料からなり、裂けることなく除去できるように前記バッグ部品（１０２）が前記パッケージ部品（１００）に接着されていることを特徴とする、請求項１に記載のキャンプ装備品。
【請求項５】
前記パッケージ部品（１００）は、前記バッグ部品が前記パッケージ部品から取り外された後に燃やすために、可燃性材料からなることを特徴とする、請求項１に記載のキャンプ装備品。
【請求項６】
例えば上着のポケットやバックパックのポケットのような狭い空間へ入れるために、１個又はそれ以上をキャンプ装備品を、パッケージ部品（１００）によって折り畳み状態で包装可能である、請求項１に記載のキャンプ装備品。
【発明の詳細な説明】
【技術分野】
【０００１】
本発明は、ハイカー、釣り人、ハンターのように自然の中を散策する人が自然の中に持って行く必要がある用具に関する。
【背景技術】
【０００２】
特に人気のあるハイキング道沿いでは、トレッカーが何処で如何にして廃棄物を処置するかに関して顕著な問題がある。キャンパーは、時間が経てばそこで分解すると考えて、ゴミを持って行かずにキャンプファイヤー場の周囲に廃棄物を置いて行くので、例えば、堆肥にできるゴミがキャンプファイヤー場の周囲に大量に溜まる場合がある。
【発明の概要】
【課題を解決するための手段】
【０００３】
本発明により、トレッカーは、容易かつ目立たずに携帯可能で、清潔な環境の維持と自然散策における衛生の向上に役立つ、彼又は彼女の廃棄可能な用具を手にする。これは、清潔な環境の維持と衛生の向上のためのキャンプ装備品によって実現される。このキャンプ装備品は、取り外し可能に取り付けられたバッグ部品を有するパッケージ部品を備え、狭い空間へ入れるために前記パッケージ部品によって折り畳み状態で包装可能である。
【０００４】
本発明は、狭い空間に目立たずに入れるために１つ又は複数の軽量なキャンプ装備品を折り畳み可能であり、使用時には意図した目的のためにバッグ部品がパッケージ部品から取り外されるということに基づく。
【０００５】
本発明の利点は、自然の中をトレッキングする人が１個又は複数個のキャンプ装備を携帯して野外条件の中に持ち込むことが容易で、清潔な環境の維持と自然の中をトレッキングする人の衛生の向上とを実質的に支援できるという点にある。
【図面の簡単な説明】
【０００６】
【図１】本発明の好適な実施形態に係るキャンプ装備品を示す。
【図２】本発明の好適な実施形態に係るキャンプ装備品を狭い空間へ入れるために折り畳む手順を示す。
【発明を実施するための形態】
【０００７】
特に長距離旅行に乗り出すとき、キャンパーは野生の中で問題なくやって行くために、各種の装備品を携帯する必要がある。携帯するに値する装備に関する本質的な基準としては、軽量であること、狭い空間に容易に格納できること、及び単一の用品が多数の目的に対する多用途性を有することがある。
【０００８】
図１は、本発明の実施形態に係る、清潔な環境の維持と衛生の向上のためキャンプ装備品を示す。このキャンプ装備品は、取り外し可能に取り付けられたバッグ部品１０２を有するパッケージ部品１００を備える。このキャンプ装備品は、狭い空間に入れるために折り畳み状態で包装可能である。本発明の好適な実施形態に係るキャンプ装備品では、パッケージ部品１００の縁に実質的に沿ってパッケージ部品１００に糊付けないし接着されたものとしてバッグ部品１０２が存在する。特に堆肥にできるゴミのために、バッグ部品１０２としては、環境配慮性があり、生態学的に分解可能な材料からなる生ゴミバッグないしバイオウエストバッグ（biowaste bag）がある。好適には、パッケージ部品１００は、紙状材料からなり、裂けることなく除去できるようにパッケージ部品１００に接着されたバッグ部品１０２を備える。パッケージ部品１００は可燃性材料からなり、バッグ部品１０２が取り外された後にパッケージ部品１００を燃やすことができる。従って、パッケージ部品１００は、キャンプファイヤーや森林小屋のストーブの焚き付け材料として有用である。
【０００９】
例えば衣料のポケット、携帯電話用のホルスター、ウエストポーチ、あるいはフレーム付きやフレームのないバックパックのポケットのような狭い空間に入れるために、１個又はそれ以上のキャンプ装備品は、折り返し線１０４に沿って折り畳んだ状態で（図２Ａ，Ｂ）包装可能である。この意味で、パッケージ部品１００は、バッグ部品１０２を分裂（torn apart）しないように保護するという観点からも高い重要性を有する。特に、長旅に出発するとき、ハイカーはフレーム付きのバックパックのポケットに入れてこのようなキャンプ装備品を多数携帯する。
【００１０】
図２Ａ，Ｂは、例えばフレーム付きのパックパックのポケットのような狭い空間に（図２Ｂ）に入れるために、本発明に係るキャンプ装備品を折り返し線１０４に沿って折り畳む方法を示す。
【００１１】
本発明に係るキャンプ装備品のバッグ部品１０２は、図１の関連では生ゴミバッグとして表されているが、例えばプラスチックである他の何らかの材料から製造されたものでもよい。プラスチック製のバッグ部品もゴミ袋（waste bag）として使用されるが、堆肥にできるゴミに使用する場合、洗浄後の再使用や、例えばキャンプファイヤーで燃やして処分するのに適しているので、堆肥にできるゴミと共に生ゴミ処理装置ないしコンポスター（composter）に捨てたり、どこかに放置しないことに留意しなければならない。生ゴミバッグとプラスチックのバッグはいずれも、山岳地図やマッチのような湿気に対して敏感な品物のための容器にも適している。
【００１２】
また、本発明に係るパッケージ部品１００の有用性としては、例えば自然区域のハイキング道とそれに沿って設けられたゴミ投棄の地点であり、都市環境ではコンポスト廃棄の地点が示された市街地地図であるようなユーザに関連した情報を印刷することがある。その結果、自然地区や都市地区において、例えばホテルのサービスに本発明のキャンプ装備品をホテルの宿泊客に配布することが含まれる場合、本発明の実用性と環境配慮の点での有用性がより一層明確になる。
【符号の説明】
【００１３】
１００  パッケージ部品
１０２  バッグ部品
１０４  折り返し線
【図１】
2011505885.tif 000003
【図２Ａ】
2011505885.tif 000004
【図２Ｂ】
2011505885.tif 000005
【国際調査報告】
2011505885.tif 000006
2011505885.tif 000007
2011505885.tif 000008